(57)【要約】【課題】系統の周波数変動を低減することが可能な電源システムを提供する。【解決手段】電源システムにおいて、中央制御装置は、複数の発電ユニットの合計の出力、需要負荷の電力需要、および系統電源の出力に基づいて、複数のユニット用開閉器を制御する。【選択図】図１
2015033168.tif 000002
【特許請求の範囲】
【請求項１】
電力を需要負荷に供給するための電源システムであって、
系統電源の１つ又は複数の第１の同期発電機が接続された一次送電線と、
前記一次送電線に１つ又は複数の変圧器を介して接続された複数の電線と、
発電機と、前記発電機が出力する直流電力を、交流電力に変換して出力するパワーコンディショナと、前記パワーコンディショナが出力する電力を計測する発電用電力計と、を有する複数の発電ユニットと、
前記発電ユニット毎に設けられ、前記パワーコンディショナの出力と前記電線との間に接続された複数のユニット用開閉器と、
前記電線から電力が供給される需要負荷の消費電力を計測する複数の負荷用電力計と、
前記電線毎に設けられ、前記発電用電力計および前記負荷用電力計の計測値を取得し、前記ユニット用開閉器を制御する複数の通信端末と、
前記複数の通信端末と通信し、前記発電用電力計および前記負荷用電力計の計測値を取得し、前記複数のユニット用開閉器を制御する中央制御装置と、を備え、
前記中央制御装置は、
複数の前記発電ユニットの合計の出力、前記需要負荷の電力需要、および前記系統電源の出力に基づいて、前記複数のユニット用開閉器を制御することを特徴とする電源システム。
【請求項２】
前記中央制御装置は、以下の式（１）で表される系統の周波数変動ΔＦが、予め設定された設定値以下になるように、前記複数のユニット用開閉器を制御することを特徴とする請求項１に記載の電源システム。
ΔＦ＝１／Ｋ（ΔＧ−（ΔＬ＋ΔＬＲ））        （１）
式（１）において、Ｋ：系統定数、ΔＧ：系統電源による周波数の調整分、ΔＬ：需要負荷の電力需要の変動による周波数の変動分、ΔＬＲ：発電ユニットの合計の出力の変動による周波数の変動分である。
【請求項３】
前記中央制御装置は、前記複数の通信端末に前記複数のユニット用開閉器の制御を実行させることを特徴とする請求項１または２に記載の電源システム。
【請求項４】
前記発電機は、太陽光発電機、または風力発電機であることを特徴とする請求項１から３のいずれか一項に記載の電源システム。
【請求項５】
前記電線に接続され交流電力を出力する第２の同期発電機と、
前記第２の同期発電機が出力する電力を計測する第２の同期発電用電力計と、をさらに備え、
前記通信端末は、前記同期発電用電力計の計測値をさらに取得し、
前記中央制御装置は、前記複数の通信端末と通信し、前記同期発電用電力計の計測値をさらに取得し、
前記中央制御装置は、
複数の前記発電ユニットの合計の出力、前記需要負荷の電力需要、および前記第２の同期発電機の出力を含めた前記系統電源の出力に基づいて、前記複数のユニット用開閉器を制御することを特徴とする請求項１に記載の電源システム。
【請求項６】
電力を需要負荷に供給するための電源システムであって、
電線と、
発電機と、前記発電機が出力する直流電力を、交流電力に変換して出力するパワーコンディショナと、前記パワーコンディショナが出力する電力を計測する発電用電力計と、を有する複数の発電ユニットと、
前記発電ユニット毎に設けられ、前記パワーコンディショナの出力と前記電線との間に接続された複数のユニット用開閉器と、
前記電線から電力が供給される需要負荷の消費電力を計測する複数の負荷用電力計と、
前記電線に接続され、交流電力を出力する同期発電機と、
前記同期発電機が出力する電力を計測する同期発電用電力計と、
前記同期発電用電力計、前記発電用電力計および前記負荷用電力計の計測値を取得し、前記ユニット用開閉器を制御する通信端末と、を備え、
前記通信端末は、
複数の前記発電ユニットの合計の出力、前記需要負荷の電力需要、および同期発電機の出力に基づいて、前記複数のユニット用開閉器を制御する
ことを特徴とする電源システム。
【請求項７】
系統電源の１つ又は複数の同期発電機が接続された一次送電線と前記電線との間に、変圧用開閉器が接続され、前記変圧用開閉器は、開放状態であり、前記電線は、一次送電線とは解列されている
ことを特徴とする請求項６に記載の電源システム。
【発明の詳細な説明】
【技術分野】
【０００１】
本発明は、電源システムに関する発明である。
【背景技術】
【０００２】
将来、自然条件の影響を受ける不安定なエネルギーによる発電である太陽光発電および風力発電が大量導入された場合（例えば、特許文献１参照）、負荷自体の変動や、太陽光発電および風力発電の出力変動が同期発電機（例えば、火力発電機等）の耐量以上に発生する場合がある。この場合、系統が不安定になる（周波数変動が大きくなる）ことや、同期発電機が脱調することが懸念される。
【０００３】
ここで、系統の周波数を安定化させる対策としては、例えば、以下の２つの対策がある。  
（１）ガスタービンなどの増設や蓄電池、フライホイールなど、系統側の周波数の調整能力（電源の調整分）を拡大する。  
（２）ＥＭＳ（Ｅｎｅｒｇｙ  Ｍａｎａｇｅｍｅｎｔ  Ｓｙｓｔｅｍ）により需要側の変動を抑制することや、揚水発電所や蓄電池などにより、負荷を平準化して、需要変動を小さくする。
【先行技術文献】
【特許文献】
【０００４】
【特許文献１】特開２０１３−３３８２７号公報
【発明の概要】
【発明が解決しようとする課題】
【０００５】
しかしながら、既述の系統を安定化させる対策は、計画から竣工まで時間がかかり、膨大なコストが発生する。  
現状、大規模停電時においては、自然条件の影響を受ける不安定なエネルギーによる発電である太陽光発電および風力発電等の分散型電源は、停止するように制御される。したがって、太陽光発電および風力発電等の分散型電源を、最大限、有効活用することができない。
【０００６】
また、例えば、太陽光発電および風力発電のからの電力量を抑えるために、パワーコンディショナの出力を遠方の制御装置から制御する方法がある。しかし、需要家が自由に制御装置のメーカーを選定するため、パワーコンディショナと制御装置のプロトコルの互換性や制御装置が通信するインターフェイスの開発が必要になる。さらに、メーカーによっては、パワーコンディショナにインターフェイスが取り付けられていないことも懸念される。
【課題を解決するための手段】
【０００７】
本発明の一態様に係る実施例に従った電源システムは、
電力を需要負荷に供給するための電源システムであって、
系統電源の１つ又は複数の第１の同期発電機が接続された一次送電線と、
前記一次送電線に１つ又は複数の変圧器を介して接続された複数の電線と、
発電機と、前記発電機が出力する直流電力を、交流電力に変換して出力するパワーコンディショナと、前記パワーコンディショナが出力する電力を計測する発電用電力計と、を有する複数の発電ユニットと、
前記発電ユニット毎に設けられ、前記パワーコンディショナの出力と前記電線との間に接続された複数のユニット用開閉器と、
前記電線から電力が供給される需要負荷の消費電力を計測する複数の負荷用電力計と、
前記電線毎に設けられ、前記発電用電力計および前記負荷用電力計の計測値を取得し、前記ユニット用開閉器を制御する複数の通信端末と、
前記複数の通信端末と通信し、前記発電用電力計および前記負荷用電力計の計測値を取得し、前記複数のユニット用開閉器を制御する中央制御装置と、を備え、
前記中央制御装置は、
複数の前記発電ユニットの合計の出力、前記需要負荷の電力需要、および前記系統電源の出力に基づいて、前記複数のユニット用開閉器を制御することを特徴とする。
【０００８】
本発明の一態様に係る前記電源システムにおいて、
前記中央制御装置は、以下の式（１）で表される系統の周波数変動ΔＦが、予め設定された設定値以下になるように、前記複数のユニット用開閉器を制御することを特徴とする。  
ΔＦ＝１／Ｋ（ΔＧ−（ΔＬ＋ΔＬＲ））        （１）
式（１）において、Ｋ：系統定数、ΔＧ：系統電源による周波数の調整分、ΔＬ：需要負荷の電力需要の変動による周波数の変動分、ΔＬＲ：発電ユニットの合計の出力の変動による周波数の変動分である。
【０００９】
本発明の一態様に係る前記電源システムにおいて、
前記中央制御装置は、前記複数の通信端末に前記複数のユニット用開閉器の制御を実行させることを特徴とする。
【００１０】
本発明の一態様に係る前記電源システムにおいて、
前記発電機は、太陽光発電機、または風力発電機であることを特徴とする。なお、前記発電機以外の分散型電源システム（燃料電池、蓄電池など）を有していても構わない。
【００１１】
本発明の一態様に係る前記電源システムにおいて、
前記電線に接続され交流電力を出力する第２の同期発電機と、
前記第２の同期発電機が出力する電力を計測する第２の同期発電用電力計と、をさらに備え、
前記通信端末は、前記同期発電用電力計の計測値をさらに取得し、
前記中央制御装置は、前記複数の通信端末と通信し、前記同期発電用電力計の計測値をさらに取得し、
前記中央制御装置は、
複数の前記発電ユニットの合計の出力、前記需要負荷の電力需要、および前記第２の同期発電機の出力を含めた前記系統電源の出力に基づいて、前記複数のユニット用開閉器を制御することを特徴とする。
【００１２】
本発明の他の態様に係る実施例に従った電源システムは、
電力を需要負荷に供給するための電源システムであって、
電線と、
発電機と、前記発電機が出力する直流電力を、交流電力に変換して出力するパワーコンディショナと、前記パワーコンディショナが出力する電力を計測する発電用電力計と、を有する複数の発電ユニットと、
前記発電ユニット毎に設けられ、前記パワーコンディショナの出力と前記電線との間に接続された複数のユニット用開閉器と、
前記電線から電力が供給される需要負荷の消費電力を計測する複数の負荷用電力計と、
前記電線に接続され、交流電力を出力する同期発電機と、
前記交流発電機が出力する電力を計測する同期発電用電力計と、
前記同期発電用電力計、前記発電用電力計および前記負荷用電力計の計測値を取得し、前記ユニット用開閉器を制御する通信端末と、を備え、
前記通信端末は、
複数の前記発電ユニットの合計の出力、前記需要負荷の電力需要、および同期発電機の出力に基づいて、前記複数のユニット用開閉器を制御する
ことを特徴とする。
【００１３】
本発明の一態様に係る前記電源システムにおいて、
系統電源の１つ又は複数の同期発電機が接続された一次送電線と前記電線との間に、変圧用開閉器が接続され、前記変圧用開閉器は、開放状態であり、前記電線は、一次送電線とは解列されている
ことを特徴とする。
【発明の効果】
【００１４】
本発明の一態様に係る電源システムは、系統の周波数変動を低減することができる。
【図面の簡単な説明】
【００１５】
【図１】図１は、本発明の一態様である実施例１に係る電源システム１０００の一例を示す図である。
【図２】図２は、図１に示す通信端末Ｙａが、自立して、複数のユニット用開閉器ＳＷａを制御する構成の一例を示す図である。
【図３】図３は、本発明の一態様である実施例３に係る電源システム１０００の一例を示す図である。
【発明を実施するための形態】
【００１６】
以下、本発明に係る各実施例について図面に基づいて説明する。
【実施例１】
【００１７】
図１は、本発明の一態様である実施例１に係る電源システム１０００の一例を示す図である。  
図１に示すように、電力を需要負荷に供給するための電源システム１０００は、一次送電線ＬＳと、複数の電線（低電圧用電線Ｌａ、高圧用電線Ｌｂ、特別高圧用電線Ｌｃ）と、複数の発電ユニットＧ１ａ、Ｇ１ｂ、Ｇ１ｃ、Ｇ２ｂ、Ｇ２ｃと、複数のユニット用開閉器ＳＷａ、ＳＷｂ、ＳＷｃと、複数の負荷用電力計Ｍｒａ、Ｍｒｂ、Ｍｒｃ、Ｍｒｄと、複数の通信端末Ｙａ、Ｙｂ、Ｙｃ、Ｙｄと、複数の変電所Ｅｂ、Ｅｃ、Ｅｄと、中央制御装置Ｘと、複数の発電機（同期発電機）Ｚａ、Ｚｂ、Ｚｃ、Ｚｄと、複数の交流用電力計Ｍｚａ、Ｍｚｂ、Ｍｚｃ、Ｍｚｄと、を備える。
【００１８】
一次送電線ＬＳは、系統電源の１つ又は複数の同期発電機（図示せず）が接続されている。なお、この図示しない同期発電機は、例えば、火力、水力、又は、原子力、地熱発電機、バイオマス発電機により発電するようになっている。すなわち、この同期発電機は、発電（出力）が安定している発電機である。
【００１９】
また、この一次送電線ＬＳは、例えば、１１０ｋＶ／５５０ｋＶの電圧が送電されるようになっている。
【００２０】
複数の電線（低電圧用電線Ｌａ、高圧用電線Ｌｂ、特別高圧用電線Ｌｃ）は、一次送電線ＬＳに１つ又は複数の変圧器Ｔｂ、Ｔｃ、Ｔｄを介して接続されている。
【００２１】
変電所Ｅｂは、変圧器Ｔｂと、変圧用開閉器Ｓｂと、を有する。そして、変圧器Ｔｂと電線（低電圧用電線）Ｌａとの間に、変圧用開閉器ＳＥｂが接続されている。
【００２２】
また、変電所Ｅｃは、変圧器Ｔｃと、変圧用開閉器ＳＥｃと、を有する。そして、変圧器Ｔｃと電線（母線）Ｌｂとの間に、変圧用開閉器ＳＥｃが接続されている。  
また、変電所Ｅｄは、変圧器Ｔｄと、変圧用開閉器ＳＥｄと、を有する。そして、変圧器Ｔｄと電線（特別高圧用電線）Ｌｃとの間に、変圧用開閉器ＳＥｄが接続されている。
【００２３】
発電ユニットＧ１ａ、Ｇ１ｂ、Ｇ１ｃは、分散型電源装置である発電機（太陽光発電機）Ｓと、発電機（太陽光発電機）Ｓが出力する直流電力を、交流電力に変換して出力するパワーコンディショナＣと、パワーコンディショナＣが出力する電力を計測する発電用電力計Ｍと、を有する。
【００２４】
発電機Ｚａ、Ｚｂ、Ｚｃ、Ｚｄは、同期発電機である。
【００２５】
発電ユニットＧ２ｂ、Ｇ２ｃは、分散型電源装置である発電機（風力発電機）Ｗと、発電機（風力発電機）Ｗが出力する直流電力を、交流電力に変換して出力するパワーコンディショナＣと、パワーコンディショナＣが出力する電力を計測する発電用電力計Ｍと、を有する。
【００２６】
ここで、分散型電源装置Ｓ、Ｗが発生する直流電力は、パワーコンディショナＣにより交流電力に変換され、系統電源の交流電力に重畳させて、需要負荷（需要家）に配電されることとなる。
【００２７】
このため、直流電力を交流電力に変換するためのパワーコンディショナＣを用い、系統電源に対して、太陽光発電や風力発電等による分散型電源装置を連系させるようにしている。パワーコンディショナＣは、周波数や電圧が系統電源のそれらに適合した交流電力を出力する。
【００２８】
ところで、分散型電源装置として用いられる太陽光発電機Ｓや風力発電機Ｗは、その動作原理や構造上の特徴から、需要負荷の急激な需要変動に対応することができない。太陽光発電や風力発電は、需要負荷の需要に対して出力調整が単独では難しい電源である。
【００２９】
また、複数のユニット用開閉器ＳＷａ、ＳＷｂ、ＳＷｃは、各発電ユニットＧ１ａ、Ｇ１ｂ、Ｇ１ｃ、Ｇ２ｂ、Ｇ２ｃ毎に設けられ、パワーコンディショナＣの出力と電線との間に接続されている。
【００３０】
負荷用電力計Ｍｒａは、電線（低電圧用電線）Ｌａから電力が供給される需要負荷Ｒａの消費電力を計測するようになっている。
【００３１】
また、負荷用電力計Ｍｒｂは、電線（高圧用電線）Ｌｂから電力が供給される需要負荷Ｒｂの消費電力を計測するようになっている。
【００３２】
また、負荷用電力計Ｍｒｃは、電線（特別高圧用電線）Ｌｃから電力が供給される需要負荷Ｒｃの消費電力を計測するようになっている。
【００３３】
また、負荷用電力計Ｍｒｄは、一次送電線ＬＳから電力が供給される需要負荷Ｒｄの消費電力を計測するようになっている。
【００３４】
複数の通信端末Ｙａ、Ｙｂ、Ｙｃ、Ｙｄは、電線Ｌａ、Ｌｂ、Ｌｃ、ＬＳ毎に設けられている。
【００３５】
そして、通信端末Ｙａは、発電用電力計Ｍ、同期発電用電力計Ｍｚａおよび負荷用電力計Ｍｒａの計測値を取得し、各ユニット用開閉器ＳＷａを制御するようになっている。
【００３６】
また、通信端末Ｙｂは、発電用電力計Ｍ、同期発電用電力計Ｍｚｂおよび負荷用電力計Ｍｒｂの計測値を取得し、各ユニット用開閉器ＳＷｂを制御するようになっている。
【００３７】
また、通信端末Ｙｃは、発電用電力計Ｍ、同期発電用電力計Ｍｚｃおよび負荷用電力計Ｍｒｃの計測値を取得し、各ユニット用開閉器ＳＷｃを制御するようになっている。
【００３８】
また、通信端末Ｙｄは、同期発電用電力計Ｍｚｄおよび負荷用電力計Ｍｒｄの計測値を取得するようになっている。
【００３９】
中央制御装置Ｘは、複数の通信端末Ｙａ〜Ｙｄと通信し、同期発電用電力計Ｍｚａ〜Ｍｚｄ、発電用電力計Ｍおよび負荷用電力計Ｍｒａ〜Ｍｒｄの計測値を取得するようになっている。また、中央制御装置Ｘは、複数のユニット用開閉器ＳＷａ、ＳＷｂ、ＳＷｃを制御するようになっている。例えば、中央制御装置Ｘは、複数の通信端末Ｙａ、Ｙｂ、Ｙｃに複数のユニット用開閉器ＳＷａ、ＳＷｂ、ＳＷｃの制御を実行させる。
【００４０】
ここで、中央制御装置Ｘは、発電用電力計Ｍの計測値から、複数の発電ユニットＧ１ａ、Ｇ１ｂ、Ｇ１ｃ、Ｇ２ｂ、Ｇ２ｃの合計の出力を算出する。また、中央制御装置Ｘは、負荷用電力計Ｍｒａ〜Ｍｒｄの計測値から、需要負荷Ｒａ〜Ｒｄの電力需要を算出する。また、中央制御装置Ｘは、同期発電用電力計Ｍｚａ〜Ｍｚｄの計測値から、複数の発電機（同期発電機）Ｚａ、Ｚｂ、Ｚｃ、Ｚｄの出力を算出する。
【００４１】
そして、中央制御装置Ｘは、複数の発電ユニットＧ１ａ、Ｇ１ｂ、Ｇ１ｃ、Ｇ２ｂ、Ｇ２ｃの合計の出力、需要負荷Ｒａ〜Ｒｄの電力需要、および系統電源の出力に基づいて、複数のユニット用開閉器ＳＷａ、ＳＷｂ、ＳＷｃを制御する。上記系統電源の出力には、複数の発電機（同期発電機）Ｚａ、Ｚｂ、Ｚｃ、Ｚｄの出力が含まれる。
【００４２】
その際、中央制御装置Ｘは、一例として、以下の式（１）で表される系統の周波数変動ΔＦが、予め設定された設定値以下になるように、複数のユニット用開閉器ＳＷａ、ＳＷｂ、ＳＷｃを制御する。  
ΔＦ＝１／Ｋ（ΔＧ−（ΔＬ＋ΔＬＲ））        （１）
式（１）において、Ｋ：系統定数、ΔＧ：系統電源による周波数の調整分、ΔＬ：需要負荷の電力需要の変動による周波数の変動分、ΔＬＲ：発電ユニットの合計の出力（自然条件の影響を受ける不安定なエネルギーによる発電の総出力）の変動による周波数の変動分である。
【００４３】
ここで、ΔＧは、予め決められており、中央制御装置ＸがΔＧを取得するようになっている。また、ΔＬは、需要負荷Ｒａ〜Ｒｄの電力需要から中央制御装置Ｘにより算出される。また、ΔＬＲは、複数の発電ユニットＧ１ａ、Ｇ１ｂ、Ｇ１ｃ、Ｇ２ｂ、Ｇ２ｃの合計の出力から中央制御装置Ｘにより算出される。
【００４４】
なお、自然条件の影響を受ける不安定なエネルギーによる発電には、太陽光発電、風力発電の他、波力発電、潮力発電、地熱発電等が含まれる。
【００４５】
ここで、例えば、配電系統内において、１００％で４Ｈｚの垂下特性の場合、周波数変動を１．０Ｈｚに納める必要がある。この場合、連系保護リレーは、自立運転時に系統連系運転時（通常時）と同じ整定値に固定するため、太陽光発電および風力発電の制限量は２５％に抑える必要がある。
【００４６】
そこで、既述のように、中央制御装置Ｘまたは通信端末Ｙａ、Ｙｂ、Ｙｃは、例えば、式（１）に基づいて、複数のユニット用開閉器ＳＷａ、ＳＷｂ、ＳＷｃで複数の発電ユニットＧ１ａ、Ｇ１ｂ、Ｇ１ｃ、Ｇ２ｂ、Ｇ２ｃの何れかを解列して、ΔＬＲを減らす（太陽光発電や風力発電等の分散型電源を解列する）。これにより、系統の周波数変動を抑えることができる。
【００４７】
以上のように、本発明の一態様に係る電源システム１０００は、系統の周波数変動を低減することができる。
【実施例２】
【００４８】
既述のように、中央制御装置Ｘは、複数の通信端末Ｙａ、Ｙｂ、Ｙｃに複数のユニット用開閉器ＳＷａ、ＳＷｂ、ＳＷｃの制御を実行させる。しかし、中央制御装置Ｘではなく、各通信端末Ｙａ、Ｙｂ、Ｙｃが、自立して、各ユニット用開閉器ＳＷａ、ＳＷｂ、ＳＷｃの制御を実行するようにしてもよい。
【００４９】
そこで、本実施例２では、図１に示す通信端末Ｙａが、自立して、複数のユニット用開閉器ＳＷａを制御する場合について説明する。
【００５０】
ここで、図２は、図１に示す通信端末Ｙａが、自立して、複数のユニット用開閉器ＳＷａを制御する構成の一例を示す図である。なお、この図２において、簡単のため、発電ユニットＧ１ｂ、Ｇ１ｃ、Ｇ２ｂ、Ｇ２ｃ、ユニット用開閉器ＳＷｂ、ＳＷｃ、負荷用電力計Ｍｒｂ、Ｍｒｃ、Ｍｒｄ、通信端末Ｔｂ、Ｙｃ、Ｙｄ、中央制御装置Ｘ等の構成が省略されている。  
図２の例では、変圧用開閉器ＳＥｂは、開放状態であり、電線（低電圧用電線）Ｌａは、電線（高圧用電線）Ｌｂ、（特別高圧用電線）Ｌｃ、一次送電線ＬＳとは解列されている。
【００５１】
この場合、通信端末Ｙａは、自立して、系統の周波数変動が予め設定された規定値以下になるように、複数のユニット用開閉器ＳＷａを制御する。
【００５２】
すなわち、通信端末Ｙａは、複数の発電ユニットＧ１ａの合計の出力、需要負荷Ｒａの電力需要、および発電機（同期発電機）Ｚａの出力に基づいて、複数のユニット用開閉器ＳＷａを制御するようにしてもよい。
【００５３】
既述のように、通信端末Ｙａ、Ｙｂ、Ｙｃは、例えば、式（１）に基づいて、複数のユニット用開閉器ＳＷａ、ＳＷｂ、ＳＷｃで複数の発電ユニットＧ１ａ、Ｇ１ｂ、Ｇ１ｃ、Ｇ２ｂ、Ｇ２ｃの何れかを解列して、ΔＬＲを減らす（太陽光発電や風力発電等の分散型電源を解列する）。これにより、系統の周波数変動を抑えることができる。
【実施例３】
【００５４】
既述の実施例１、２では、発電ユニットが、分散型電源装置である発電機（太陽光発電機、風力発電機）と、この発電機が出力する直流電力を、交流電力に変換して出力するパワーコンディショナと、パワーコンディショナが出力する電力を計測する発電用電力計と、を有する構成例について説明した。
【００５５】
この発電ユニットには、さらに、ガス発電機等の同期発電機が含まれていてもよい。
【００５６】
そこで、本実施例３では、発電ユニットが、さらに、ガス発電機等の同期発電機を有する場合の構成の一例について説明する。
【００５７】
図３は、本発明の一態様である実施例３に係る電源システム１０００の一例を示す図である。なお、この図３において、図１の符号と同じ符号は、実施例１と同様の構成を示す。
【００５８】
図３に示すように、電力を需要負荷に供給するための電源システム１０００は、実施例１と同様に、一次送電線ＬＳと、複数の電線（低電圧用電線Ｌａ、高圧用電線Ｌｂ、特別高圧用Ｌｃ）と、複数の発電ユニットＧ１ａ、Ｇ１ｂ、Ｇ１ｃ、Ｇ２ｂ、Ｇ２ｃと、複数のユニット用開閉器ＳＷａ、ＳＷｂ、ＳＷｃと、複数の負荷用電力計Ｍｒａ、Ｍｒｂ、Ｍｒｃ、Ｍｒｄと、複数の通信端末Ｙａ、Ｙｂ、Ｙｃ、Ｙｄと、複数の変電所Ｅｂ、Ｅｃ、Ｅｄと、中央制御装置Ｘと、複数の発電機（同期発電機）Ｚａ、Ｚｂ、Ｚｃ、Ｚｄと、複数の交流用電力計Ｍｚａ、Ｍｚｂ、Ｍｚｃ、Ｍｚｄと、を備える。
【００５９】
そして、発電ユニットＧ１ａ、Ｇ１ｂ、Ｇ１ｃは、分散型電源装置である発電機（太陽光発電機）Ｓと、発電機（太陽光発電機）Ｓが出力する直流電力を、交流電力に変換して出力するパワーコンディショナＣと、パワーコンディショナＣが出力する電力を計測する発電用電力計Ｍと、を有する。
【００６０】
ここで、特に、発電ユニットＧ１ａのうちの１は、同期発電機である発電機３００をさらに有する。そして、この発電ユニットＧ１ａの発電用電力計Ｍは、この発電機３００が出力電力と、パワーコンディショナＣが出力する電力とを計測するようになっている。
【００６１】
すなわち、本実施例３において、発電ユニットＧ１ａは、実施例１、２と比較して、同期発電機である発電機３００をさらに備える。
【００６２】
ここで、実施例１と同様に、中央制御装置Ｘは、発電用電力計Ｍの計測値から、複数の発電ユニットＧ１ａ、Ｇ１ｂ、Ｇ１ｃ、Ｇ２ｂ、Ｇ２ｃの合計の出力を算出する。また、中央制御装置Ｘは、負荷用電力計Ｍｒａ〜Ｍｒｄの計測値から、需要負荷Ｒａ〜Ｒｄの電力需要を算出する。また、中央制御装置Ｘは、同期発電用電力計Ｍｚａ〜Ｍｚｄの計測値から、複数の発電機（同期発電機）Ｚａ、Ｚｂ、Ｚｃ、Ｚｄの出力を算出する。
【００６３】
そして、中央制御装置Ｘは、複数の発電ユニットＧ１ａ、Ｇ１ｂ、Ｇ１ｃ、Ｇ２ｂ、Ｇ２ｃの合計の出力、需要負荷Ｒａ〜Ｒｄの電力需要、および系統電源の出力に基づいて、複数のユニット用開閉器ＳＷａ、ＳＷｂ、ＳＷｃを制御する。上記系統電源の出力には、複数の発電機（同期発電機）Ｚａ、Ｚｂ、Ｚｃ、Ｚｄの出力が含まれる。
【００６４】
その際、中央制御装置Ｘまたは通信端末Ｙａ、Ｙｂ、Ｙｃは、例えば、式（１）に基づいて、複数のユニット用開閉器ＳＷａ、ＳＷｂ、ＳＷｃで複数の発電ユニットＧ１ａ、Ｇ１ｂ、Ｇ１ｃ、Ｇ２ｂ、Ｇ２ｃの何れかを解列して、ΔＬＲを減らす（太陽光発電や風力発電等の分散型電源を含む電源ユニットを解列する）。これにより、系統の周波数変動を抑えることができる。
【００６５】
なお、実施例３に係る電源システム１０００のその他の構成・機能は、実施例１、２と同様である。すなわち、本実施例３に係る電源システム１０００によれば、実施例１、２と同様に、系統の周波数変動を低減することができる。
【００６６】
実施例は例示であり、発明の範囲はそれらに限定されない。
【符号の説明】
【００６７】
１０００  電源システム
ＬＳ  一次送電線
Ｌａ  電線（低電圧用電線）
Ｌｂ、Ｌｃ  電線（高圧用電線、特高圧用電線）
Ｇ１ａ、Ｇ１ｂ、Ｇ１ｃ、Ｇ２ｂ、Ｇ２ｃ  発電ユニット
ＳＷａ、ＳＷｂ、ＳＷｃ  ユニット用開閉器
Ｍｒａ、Ｍｒｂ、Ｍｒｃ、Ｍｒｄ  負荷用電力計
Ｙａ、Ｙｂ、Ｙｃ、Ｙｄ  通信端末
Ｅｂ、Ｅｃ、Ｅｄ  複数の変電所
Ｘ  中央制御装置
Ｚａ、Ｚｂ、Ｚｃ、Ｚｄ  発電機（同期発電機）
Ｌａ  電線（低電圧用電線）
Ｔｂ、Ｔｃ、Ｔｄ  変圧器
Ｅｂ、Ｅｃ、Ｅｄ  変圧用開閉器
【図１】
2015033168.tif 000003
【図２】
2015033168.tif 000004
【図３】
2015033168.tif 000005